(57)【特許請求の範囲】
【請求項１】
ランド/グルーブトラックを有する光記録／再生媒体上にウォッブル信号を用いて物理的識別情報をアドレッシングする方法において、
(a) ランドまたはグルーブトラックのうち何れか１つのトラックの両側壁の各々に対して単純なウォッブルキャリアと、前記ウォッブルキャリアを使用して２つの位相に位相変調されたアドレス情報を交互に記録するが、前記アドレス情報の記録区間に該当する隣接トラックには単純なウォッブルキャリアを記録する段階を含み、前記２つの位相は４５゜と９０゜に設定されたことを特徴とする方法。
【請求項２】
前記(a)段階では、前記ウォッブルキャリアとアドレス情報を記録する順序をランドトラックとグルーブトラックに対して交互に配置してランドトラックのアドレス情報の記録区間に対応するグルーブトラックにはアドレス情報が記録されないことを特徴とする請求項１に記載の方法。
【請求項３】
前記グルーブトラックのアドレス情報には該当グルーブトラックのためのグルーブアドレス情報だけでなく隣接ランドトラックのためのランドアドレス情報を含み、前記ランドトラックのアドレス情報には該当ランドトラックのためのランドアドレス情報だけでなく隣接グルーブトラックのためのグルーブアドレス情報を含むことを特徴とする請求項２に記載の方法。
【請求項４】
前記方法は、
(b) 前記各トラックに所定単位でウォッブル信号の初期位相を合せるための情報を記録する段階をさらに含む請求項１に記載の方法。
【請求項５】
前記アドレス情報は最小記録単位で３回以上繰返して記録されることを特徴とする請求項１に記載の方法。
【請求項６】
前記アドレス情報はウォッブルPID信号の開始位置を判断するための同期情報を有するウォッブルシンク、アドレス情報を有するウォッブルキャリアで位相変調され、ウォッブルキャリアと一定の周期に多重化されたPIDデータ、エラー検出コードよりなることを特徴とする請求項１に記載の方法。
【請求項７】
前記PIDデータの周期はウォッブル信号の周期より１乃至４倍に設定されることを特徴とする請求項６に記載の方法。
【請求項８】
前記ウォッブル信号の周期は光記録／再生媒体上に実際に記録されるチャンネルデータの周期より５０倍乃至４５０倍になるように設定されることを特徴とする請求項６に記載の方法。
【請求項９】
前記ウォッブルシンクは変調された状態または復調されてからも検出できる構造を有することを特徴とする請求項６に記載の方法。
【請求項１０】
前記ウォッブルシンクは擬似ランダムシーケンスよりなることを特徴とする請求項６に記載の方法。
【請求項１１】
前記ウォッブルシンクはバーカコードよりなることを特徴とする請求項１０に記載の方法。
【請求項１２】
前記方法は、
(b) 前記各トラックの最小記録単位の先にセクターマークを記録する段階をさらに含む請求項１に記載の方法。
【請求項１３】
前記セクターマークは偶数/奇数トラックに応じて別の構造を有し、各トラックの最初のセクターマークは残りセクターマークとは別の構造を有することを特徴とする請求項１２に記載の方法。
【請求項１４】
各偶数グルーブとランドトラックのセクターマークはミラー領域、奇数/偶数トラックを区分するための情報を有するトラックマーク、位相同期情報を有するVFO信号よりなっており、各奇数グルーブとランドトラックのセクターマークはミラー領域、ミラー領域、VFO信号よりなることを特徴とする請求項１３に記載の方法。
【請求項１５】
各偶数グルーブとランドトラックの最初のセクターマークはミラー領域、トラックマーク、ミラー領域、トラックマーク、VFO信号よりなっており、各奇数グルーブとランドトラックの最初のセクターマークはミラー領域、トラックマーク、ミラー領域、ミラー領域、VFO信号よりなることを特徴とする請求項１３に記載の方法。
【請求項１６】
光記録／再生システムのためのウォッブルを用いたアドレスをエンコーディングする回路において、
単純なキャリアのみを有するウォッブル信号を発生する発生器と、
４５゜と９０゜に設定された２つの位相に物理的識別情報を示すランドとグルーブアドレス情報を各々位相変調する位相変調器と、
グルーブまたはランドトラックのうち何れか１つのトラックの両側壁の各々に対して所定周期毎に前記ウォッブル信号と位相変調されたウォッブルアドレス情報を時分割多重化する時分割多重化器とを含む回路。
【請求項１７】
前記時分割多重化器はグルーブ/ランド判別信号によって前記ウォッブルキャリアとアドレス情報を記録する順序をランドトラックとグルーブトラックに対して交互に配置されるように時分割多重化してランドトラックのアドレス情報の記録区間に対応するグルーブトラックにはアドレス情報が記録されないことを特徴とする請求項１６に記載の回路。
【請求項１８】
前記グルーブトラックのアドレス情報には該当グルーブトラックのためのグルーブアドレス情報だけでなく隣接ランドトラックのためのランドアドレス情報を含み、前記ランドトラックのアドレス情報には該当ランドトラックのためのランドアドレス情報だけでなく隣接グルーブトラックのためのグルーブアドレス情報を含むことを特徴とする請求項１６に記載の回路。
【請求項１９】
前記アドレス情報は最小記録単位で３回以上繰返して記録されていることを特徴とする請求項１６に記載の回路。
【請求項２０】
前記アドレス情報はウォッブルPID信号の開始位置を判断するための同期情報を有するウォッブルシンク、アドレス情報を有するウォッブルキャリアで位相変調され、ウォッブルキャリアと一定の周期で多重化されたPIDデータ、エラー検出コードよりなることを特徴とする請求項１６に記載の回路。
【請求項２１】
前記PIDデータの周期はウォッブル信号の周期より１乃至４倍になるように設定されることを特徴とする請求項２０に記載の回路。
【請求項２２】
前記ウォッブル信号の周期は光記録／再生媒体上に実際に記録されるチャンネルデータの周期より５０倍乃至４５０倍になるように設定されることを特徴とする請求項２０に記載の回路。
【請求項２３】
前記ウォッブルシンクは変調された状態または復調されてからも検出できる構造を有することを特徴とする請求項２０に記載の回路。
【請求項２４】
前記ウォッブルシンクは擬似ランダムシーケンスよりなることを特徴とする請求項２０に記載の回路。
【請求項２５】
前記ウォッブルシンクはバーカコードよりなることを特徴とする請求項２４に記載の回路。
【請求項２６】
記録媒体マスタリング時、前記各トラックの最小記録単位の先にセクターマークが記録されていることを特徴とする請求項１６に記載の回路。
【請求項２７】
前記セクターマークは偶数/奇数トラックによって別の構造を有し、各トラックの最初のセクターマークは残りセクターマークとは別の構造を有することを特徴とする請求項２６に記載の回路。
【請求項２８】
各偶数グルーブとランドトラックのセクターマークはミラー領域、奇数/偶数トラックを区分するための情報を有するトラックマーク、位相同期情報を有するVFO信号よりなっており、各奇数グルーブとランドトラックのセクターマークはミラー領域、ミラー領域、VFO信号よりなることを特徴とする請求項２７に記載の回路。
【請求項２９】
各偶数グルーブとランドトラックの最初のセクターマークはミラー領域、トラックマーク、ミラー領域、トラックマーク、VFO信号よりなっており、各奇数グルーブとランドトラックの最初のセクターマークはミラー領域、トラックマーク、ミラー領域、ミラー領域、VFO信号よりなることを特徴とする請求項２７に記載の回路。
【請求項３０】
グルーブ/ランド記録方式を有し、記録／再生可能な記録媒体において、
ランドまたはグルーブトラックのうち何れか１つのトラックの両側壁の各々に対して単純なウォッブルキャリアと、前記ウォッブルキャリアを使用して２つの位相に位相変調されたアドレス情報が交互に記録されており、アドレス情報の記録区間に該当する隣接トラックには単純なウォッブルキャリアが記録され、前記２つの位相は４５゜と９０゜に設定されたことを特徴とする記録媒体。
【請求項３１】
前記各グルーブトラックに所定単位でウォッブル信号の初期位相を合わせるための領域をさらに有することを特徴とする請求項３０に記載の記録媒体。
【請求項３２】
前記グルーブトラックのアドレス情報には該当グルーブトラックのためのグルーブアドレス情報だけでなく隣接ランドトラックのためのランドアドレス情報を含み、前記ランドトラックのアドレス情報には該当ランドトラックのためのランドアドレス情報だけでなく隣接グルーブトラックのためのグルーブアドレス情報を含むことを特徴とする請求項３０に記載の記録媒体。
【請求項３３】
ランドトラックとグルーブトラック上のアドレス情報の大きさの相関関係を用いるとランド/グルーブトラックを判別しうることを特徴とする請求項３０に記載の記録媒体。
【請求項３４】
前記アドレス情報は最小記録単位で３回以上反復記録されていることを特徴とする請求項３０に記載の記録媒体。
【請求項３５】
前記アドレス情報はウォッブルPID信号の開始位置を判断するための同期情報を有するウォッブルシンク、アドレス情報を有するウォッブルキャリアで位相変調され、ウォッブルキャリアと一定の周期で多重化されたPIDデータ、エラー検出コードよりなることを特徴とする請求項３０に記載の記録媒体。
【請求項３６】
前記PIDデータの周期はウォッブル信号の周期より１乃至４倍になるように設定されることを特徴とする請求項３５に記載の記録媒体。
【請求項３７】
前記ウォッブル信号の周期は光記録／再生媒体上に実際に記録されるチャンネルデータの周期より５０倍乃至４５０倍になるように設定されることを特徴とする請求項３５に記載の記録媒体。
【請求項３８】
前記ウォッブルシンクは変調された状態または復調されてからも検出できる構造を有することを特徴とする請求項３５に記載の記録媒体。
【請求項３９】
前記ウォッブルシンクは擬似ランダムシーケンスよりなることを特徴とする請求項３５に記載の記録媒体。
【請求項４０】
前記ウォッブルシンクはバーカコードよりなることを特徴とする請求項３９に記載の記録媒体。
【請求項４１】
前記各トラックの最小記録単位の先にセクターマークが配置されていることを特徴とする請求項３０に記載の記録媒体。
【請求項４２】
前記セクターマークは偶数/奇数トラックによって別の構造を有し、各トラックの最初のセクターマークは残りセクターマークとは別の構造を有することを特徴とする請求項４１に記載の記録媒体。
【請求項４３】
各偶数グルーブとランドトラックのセクターマークはミラー領域、奇数/偶数トラックを区分するための情報を有するトラックマーク、位相同期情報を有するVFO信号よりなっており、各奇数グルーブとランドトラックのセクターマークはミラー領域、ミラー領域、VFO信号よりなることを特徴とする請求項４２に記載の記録媒体。
【請求項４４】
各偶数グルーブとランドトラックの最初のセクターマークはミラー領域、トラックマーク、ミラー領域、トラックマーク、VFO信号よりなっており、各奇数グルーブとランドトラックの最初のセクターマークはミラー領域、トラックマーク、ミラー領域、ミラー領域、VFO信号よりなることを特徴とする請求項４２に記載の記録媒体。
【発明の詳細な説明】
【０００１】
【発明の属する技術分野】
本発明は光記録／再生分野に係り、特に高密度光記録／再生システムにおいてウォッブル信号を用いたPIDアドレッシング方法とその検出方法、ウォッブルアドレスエンコーディング回路とその検出回路及び記録媒体に関する。
【０００２】
【従来の技術】
光記録／再生システムにおいて記録するディスク上の位置を判別するための物理的な位置認識のために記録する情報をPID(Physical Identification Data)と称し、一般にPIDはセクター単位に記録される記録／再生媒体においては物理的なセクターのアドレス情報に該当する。これはディスク上の任意の位置にデータを記録し、該当位置を探すためには必須情報である。
【０００３】
即ち、PIDは、特に記録／再生可能なディスクにおいて任意の位置にデータを記録／再生するために特定のセクターを探せるアドレス情報を称するものであって、使用者データの有無に関係なくディスクを製作する時点で予め記録(pre-mastering)されているセクターのアドレス情報を称する。従って、記録/再生しようとするセクターの位置を正確で速やかに探すためにはエラーに強く、速やかに検出できる構造を有するべきである。
【０００４】
PIDをディスク上に記録する方法としては、ディスク上に読出専用(Read-only)光ディスクと同じ形状の凹凸型(Embossed)ピットを作って、これを以ってディスク上の特定の位置を判別可能にする物理的な位置情報を記録する方法と、ディスク上に一定の周期に記録トラックの変化を与えて得られるウォッブル(Wobble)信号を用いる方法がある。
【０００５】
前者の方法により、即ち、凹凸型プリピットを使用してPIDアドレッシングのために備えられている領域を、図１に示されたように、ヘッダ部(header field)と称し、２.６GB(Giga Bytes) DVD-RAM(Digital Versatile Disc Random AccessMemory)規格書(DVD specification for Rewritable Disc(DVD-RAM) Version１.０)または４.７GBのDVD-RAMの規格書によれば、基板製造時にプリピットで構成されているヘッダ部の位置に物理的な位置情報が入力される。ヘッダ部はPLL(Phase Locked Loop)のためのVFO(Variable Frequency Oscillator)領域、セクター番号の与えられているPID(Physical Identification Data)領域、IDエラー検出情報を貯蔵するIED(ID Error Detection)領域、ヘッダ部に次いで記録されるデータの変調(modulation)のために初期状態を合わせるためのPA(postamble)領域等で構成される。このような凹凸型プリピットで構成されているヘッダ部をセクターの先に適切に配置してピックアップがこの情報を以って所望の位置に容易に探していくようにする方法をプリピットを用いたPIDアドレッシング方法と称し、アドレッシングされた情報からそのセクター番号、セクタータイプ、ランドトラック(land track)/グルーブトラック(groove track)区別などを認識でき、サーボ制御までもできる。
【０００６】
このような従来の凹凸型プリピットを使用するPIDアドレッシング方法はピットの形成された領域にはデータを記録できないために形成されたピット領域だけの記録密度が減少する問題が発生する。
従って、高密度、大容量のデータを貯蔵するためにトラックピッチを縮め、かつ記録領域でない領域(オーバーヘッド)を最小化することによって記録可能な領域(使用者データ領域)を増加させるべきである。このためにはウォッブル信号を用いることが効率的である。
【０００７】
記録用ディスクの場合、基板の形成時記録されない部分でも記録しようとするトラックを正確にピックアップでトラッキング可能にするために基板上の記録トラックに沿ってグルーブを形成するが、グルーブ以外の部分をランドと称し、記録方式に応じてランドまたはグルーブの何れか一方にのみ記録する方式と、ランドとグルーブの両方にデータを記録する方式とに分けられており、特に高密度になるほどランドとグルーブの両方にデータを記録するランド/グルーブ記録方式を使用することが望ましい。
【０００８】
また、記録時補助クロック手段としてグルーブの両側壁面に変化を与えて特定の周波数の信号を発生させる方法を使用している。このような信号をウォッブル信号と称する。DVD-RAMディスクの基板にも単一周波数を有するウォッブル信号が記録されている。
ウォッブル信号を用いるPIDアドレッシング方法は、このような単純な単一周波数を有するウォッブル信号に、記録時一定の周期に位相を変化させるか、または周波数を変える等の格別な変化を付加えてPID信号のような付加情報を記録可能にする方式であって、この際、ウォッブル信号に重畳記録されたPID信号を一般にウォッブルアドレスと称する。
【０００９】
【発明が解決しようとする課題】
ウォッブル信号を用いるPIDアドレッシング方法は、図２に示したように、ウォッブルを記録しようとするグルーブトラックの両側壁の変化を用いることであるため、グルーブトラックには情報を記録しないランド記録方式のディスクにのみ使用できた。即ち、グルーブトラックの両側壁の変化を用いる場合、２つのグルーブトラック間のランドトラックには、ランドトラックを形成している両側の境界に該当する２つのグルーブトラックのアドレス情報が相互混合されて適切な情報が得られないため、グルーブトラックに形成されたウォッブルアドレスとしてはランドトラックとグルーブトラックの両側のアドレスを全て示すことができない問題があって、ランドトラックとグルーブトラックの両方に情報を記録するランド/グルーブ記録方式のディスクでは使用しにくいという問題点があった。
【００１０】
換言すれば、ウォッブルアドレスの記録位置がランドトラックとグルーブトラックとの境界位置のグルーブ側壁である場合、ランドトラックとグルーブトラックの両方に情報を記録するランド/グルーブ記録方式ではランドトラック及びグルーブトラックの両側壁に形成されたウォッブルの情報が同時に読取られるために、図２に示されたウォッブルアドレッシング方法ではPID信号を正しく記録及び検出できないという問題点があった。
【００１１】
このような問題を解決するための方法として、図３に示されたように、グルーブトラックの一側壁にのみウォッブルアドレスを記録する方法が提案された。しかし、このようなウォッブルアドレッシング方法はウォッブル信号がグルーブトラックの一側壁面からのみ発生するために信号が小さくなる問題が発生するだけでなく、隣接したランドトラックとグルーブトラックから同じ信号を読取るために、読取られているトラックがランドトラックかグルーブトラックかを正確に判別するための情報がさらに必要となるなどの問題点があった。
【００１２】
従って、本発明の目的は、凹凸型プリピットアドレッシング方法が有するオーバーヘッド問題を解決し、ウォッブルアドレッシング方法が有するランド/グルーブ記録方式に適用しにくい問題を解決するためのウォッブルを用いた新たなPIDアドレッシング方法を提供することである。
本発明の他の目的は、２-ビームを用いてグルーブまたはランドトラックのうち何れか１つのトラックの両側壁の各々に対して単純なキャリアのウォッブル信号と位相変調されたアドレス情報を時分割多重化してPIDをアドレッシングする方法を提供することである。
本発明のさらに他の目的は、グルーブまたはランドトラックのうち何れか１つのトラックの両側壁の各々に対して時分割多重化して記録された単純なキャリアのウォッブル信号と位相変調されたアドレス情報からアドレス情報を検出する方法を提供することである。
本発明のさらに他の目的は、高密度光ディスク記録／再生システムのためのウォッブルアドレスエンコーディング回路を提供することである。
本発明のさらに他の目的は、高密度光ディスク記録／再生システムのためのウォッブルアドレス検出回路を提供することである。
本発明のさらに他の目的は、グルーブまたはランドトラックのうち何れか１つのトラックの両側壁の各々に対して時分割多重化された単純なキャリアのウォッブル信号と位相変調されたアドレス情報の記録された記録媒体を提供することである。
【００１３】
【課題を解決するための手段】
前記目的を達成するために、本発明に係るウォッブルアドレス方法は、光記録／再生媒体上にウォッブルを用いた物理的識別情報をアドレッシングする方法において、グルーブまたはランドトラックのうち何れか１つのトラックの両側壁の各々に対して単純なウォッブルキャリアと、ウォッブルキャリアを使用して２つの位相に位相変調されたアドレス情報を交互に記録するが、アドレス情報の記録区間に該当する隣接トラックには単純なウォッブルキャリアを記録する段階を含み、前記２つの位相は最大の位相差より小さく設定されたことを特徴としている。
【００１５】
本発明に係るウォッブルアドレスエンコーディング回路は、光記録／再生システムのためのウォッブルを用いたアドレスをエンコーディングする回路において、単純なキャリアのみを有するウォッブル信号を発生する発生器と、前記ウォッブル信号の最大の位相差より小さく設定された２つの位相に物理的識別情報を示すランドとグルーブアドレス情報を各々位相変調する位相変調器と、グルーブまたはランドトラックのうち何れか１つのトラックの両側壁の各々に対して所定周期毎に前記ウォッブル信号と位相変調されたアドレス情報を時分割多重化する時分割多重化器とを含むことを特徴としている。
【００１７】
また、本発明に係る記録媒体は、グルーブ/ランド記録方式を有し、記録／再生可能な記録媒体において、ランドまたはグルーブトラックのうち何れか１つのトラックの両側壁の各々に対して単純なウォッブルキャリアと、前記ウォッブルキャリアを使用して２つの位相に位相変調されたアドレス情報が交互に記録されており、アドレス情報の記録区間に該当する隣接トラックには単純なウォッブルキャリアが記録され、前記２つの位相は最大の位相差より小さく設定されたことを特徴としている。
【００１８】
【発明の実施の形態】
以下、添付した図面に基づき本発明に係るウォッブル信号を用いたPIDアドレッシング方法とその検出方法、ウォッブルアドレスエンコーディング回路とその検出回路及び記録媒体の望ましい実施形態を説明する。
【００１９】
グルーブトラックの両側壁を用いて構成されたウォッブルアドレスをランドトラックで読取る場合、グルーブトラックの両側壁の各々から信号を読取るためにグルーブの隣接した両壁の信号が合成される。このように合成された信号を隣接トラック間ウォッブル信号の干渉がないように処理するために本発明では図４に示されたようなウォッブルを用いたPIDアドレッシング構造を提案する。
【００２０】
図４は本発明に係るランドとグルーブトラックの各々にアドレスを独立して記録できるウォッブルを用いたPIDアドレッシング構造を示した図面であって、本発明はランド/グルーブ上の物理的な位置を別にアクセスすべきディスクであって、例えばランド/グルーブ記録方式を使用するディスクとしてZCLV(Zoned Constant Linear Velocity)またはCAV(Constant Angular Velocity)のように隣接トラック間の角速度が一定した場合に適用される構造であり、グルーブの両側壁が相異なる形をしているためにマスタリング時２-ビームを使用することが望ましい。
【００２１】
ランドとグルーブトラックにはウォッブルキャリアのみ形成されている区間と位相変調されたアドレス情報が形成されている区間を繰返して配置し、即ち、時間軸に対して多重化(時分割多重化)してアドレスデータを配置している。ここで、位相変調はPSK(Phase Shift Keying)変調を使用し、アドレスデータビットが“０b”の時は０°の位相を有するウォッブル信号を記録し、“１b”の時は１８０°の反対位相を有するウォッブル信号を記録する。
【００２２】
また、ランドトラックとグルーブトラックのアドレスデータの入っている位置を交互に配置する。ランドアドレスとグルーブアドレスは１ビットまたは所定の大きさに多重化されていて、ランドアドレスとグルーブアドレスとの交差順序は常に一定するが、ランドトラックではランドアドレスが大きいか、或は小さくなるようにアドレスとウォッブルキャリアを多重化する方法を通してランドトラックまたはグルーブトラックを判別可能にしうる。
【００２３】
即ち、グルーブアドレスとランドアドレスとの関係は何れを先に多重化するかに応じて変わる。例えば、常にグルーブアドレスが先に多重化され、引き続きランドアドレスが後続される構成となり、ディスクの内側からセクター番号を示すアドレス情報が順次に割当てられて記録される場合には、グルーブトラックの両側壁に対して外周側にグルーブアドレスを、内周側にはランドアドレスを各々記録すれば、グルーブトラックでグルーブアドレス(セクター番号)の大きな値を、ランドトラックでランドアドレス(セクター番号)の大きな値を有することになる。反面に、外周側にランドアドレスを、内周側にグルーブアドレスを各々記録すれば、グルーブトラックでランドアドレスの大きな値を、ランドトラックでグルーブアドレスの大きな値を有することになる。
【００２４】
基板を製作する場合には、グルーブの形成部にレーザービームを用いて溝を形成することになるが、この際レーザービームをトラッキング方向に対して直角方向にウォッブル信号の大きさだけ変位を加えてウォッブル信号を形成することになる。従って、１-ビームを使用する場合には、本発明で例示するように、グルーブの両側壁の形状が相異なるウォッブルを形成させられないために２-ビームを用いて両側壁の変化を相違に記録する方法が望ましい。他の方法としては、トラック幅より小径の１つのビームをトラック方向に対して直角に所望のトラック幅だけ変位させる方法もある。しかし、この方法は高密度記録の場合トラックの幅が狭くなってビームの直径を十分に小さくするのに難点がある。
【００２５】
従って、図４に示されたように２-ビームを用いる場合、ランドとグルーブアドレスとの独立的な記録ができてさらに正確なランドとグルーブアドレッシングが可能で、ランドとグルーブトラックに対してアドレスを検出する方法と回路とが常に同一であるという長所がある。
【００２６】
図５は図４に示された構造においてランド/グルーブトラックでのウォッブル信号の形態の一例を示したものであって、アドレスデータが"０b"の時は０°の位相を有するウォッブル信号が記録され、"１b"の時は１８０°の位相を有するウォッブル信号が記録される。
【００２７】
即ち、アドレスデータを位相変調したウォッブル信号は次のような数式で発生される。
【数１】
0003542553.tif 000002
ここで、Tはアドレスデータのサンプル周期であり、fはウォッブルの周波数である。そして、a(nT)はアドレスデータの各ビット値によってT周期でアドレス"１"または"-１"の値を有する。アドレスデータの変化周期Tはウォッブル信号の周期１/fより大きい。
【００２８】
また、キャリアだけ有するウォッブル信号は次のように示しうる。
【数２】
0003542553.tif 000003
【００２９】
このように図４及び図５に示されたように、時分割多重化してアドレスを配置する場合にはウォッブル信号の周期をTwとすれば、k>０の任意の定数kに対してkTw周期にアドレス情報を位相変調したウォッブル信号と単純にキャリアだけを有するウォッブルキャリアを反復的に記録するが、記録する順序を奇数グルーブトラックと偶数グルーブトラックに対してウォッブルキャリアとウォッブルアドレス情報が交互に配置して、奇数グルーブトラックのウォッブルアドレスデータの記録される区間に対応する偶数グルーブトラックにはウォッブルアドレスデータが記録されないようにする。例えば、奇数グルーブトラックはウォッブルキャリア、ウォッブルアドレス情報の順に反復配置されれば、偶数グルーブトラックはウォッブルアドレス情報、ウォッブルキャリアの順に反復配置される。ここで、kTwを、ウォッブルと位相変調されたアドレス情報を多重化させるための多重化周期と定義し、Twはウォッブルクロックの周期と定義する。
【００３０】
単一周波数のウォッブル信号をキャリアとして使用してアドレス情報をPSK変調する場合、アドレス情報の周期は最小限ウォッブル信号の周期より大きいことが望ましい。即ち、定数はk≧１であることが望ましい。これはアドレスデータの周期がTの時信号のナイキスト帯域が１/(２T)となり、よって円滑なPSK変調を可能にするためには信号の帯域よりキャリアの周波数が高くなければならないからである。
【００３１】
実際に標本化されたデジタルデータの場合にはスペクトルが反復されるために、アドレスデータの場合ナイキスト帯域に低域フィルタリングすべきであるが、この場合現実的に完全なフィルタリングが不可能な点と、変調信号と被変調信号の位相が同期されている場合に同期復調が可能な点などを考慮すれば、k=１またはこれより大きな値でキャリア周波数に対して一定の関係を有するように定数kを定めることが望ましい。例示した実施形態ではk=１の場合である。
【００３２】
この際、図５に示されたように、ランドトラックの両側壁は、隣接したグルーブトラックに記録されたアドレスデータの値によって正位相または逆位相で有り得、同様に、グルーブトラックの両側壁は、隣接したランドトラックに記録されたアドレスデータの値によって正位相、或は逆位相で有り得る。従って、両側壁のウォッブル信号が同位相の場合には、ラジアル方向に２分割された光検出素子の出力信号の差信号(プッシュプル信号とも称する)からウォッブル信号が検出され、両側壁の信号が逆位相を有する場合には、ラジアル方向に２分割された光検出素子の出力信号の和信号からウォッブル信号が検出される。
【００３３】
従って、プッシュプル信号から検出された信号であって、ランドトラックにおけるアドレス情報の位相変調信号をa(nT)とし、グルーブトラックにおけるアドレス情報の位相変調信号をb(nT)とする時、この２つの信号を合せた信号c(nT)はkTw周期で相互反復される信号として現れる。
【００３４】
即ち、a(nT)={a０、a１、a２、…}で、b(nT)={b０、b１、b２、…}である時、k=１の場合c(nT)={a０、b０、a１、b１、a２、b２、…}であって、隣接した２つのグルーブトラックのウォッブル信号が混合されているランドトラックのウォッブル信号、または隣接したランドトラックのウォッブル信号が混合されているグルーブトラックのウォッブル信号は次のように示しうる。
【数３】
0003542553.tif 000004
【００３５】
ここで、c(nT)の値は１または-１なので、(即ち、アドレスデータが"０b"の時はウォッブル信号の位相が０°、即ち同位相となり、アドレスデータが"１b"の時は１８０°、即ち逆位相となるので１または-１の値を選択)、実際のウォッブル信号は、アドレスデータが"０b"の区間では、キャリアと位相変調されたウォッブル信号が同位相となってプッシュプル信号からウォッブル信号が検出され、アドレスデータが"１b"の区間では、キャリアと位相変調されたウォッブル信号が逆位相となってプッシュプル信号からウォッブル信号が検出されない。そして、最終PIDに該当するアドレスデータは多重化された隣接したランドアドレスとグルーブアドレスから逆多重化して得られる値となる。
【００３６】
和信号では逆の現象が起こる。アドレスデータが"０b"の区間では和信号からウォッブル信号が検出されず、アドレスデータが"１b"の区間では和信号からウォッブル信号が検出される。
【００３７】
一方、ウォッブル信号の初期位相を検出することは非常に重要である。従って、図６に示されたように各セクターまたは特定の単位でミラー領域または別にウォッブルの位相を合せることができる同期信号を記録しておくことが望ましい。これについては、図８〜図１０でさらに詳しく説明する。また、現在DVD-RAMで使用しているCAPA(Complementary Allocated Pit Address)方式の場合にはCAPA信号自体とCAPA信号に含まれているVFOなどがウォッブル信号の基準位相信号として使えるようになっている。
【００３８】
このようにウォッブルを用いてPIDデータのアドレッシングされたグルーブトラックからウォッブルアドレスを検出する時、プッシュプル信号は位相変調されているために元信号(アドレスデータ)の位相成分を検出するためにはキャリア、即ちウォッブルクロックをかければよい。即ち、位相変調された信号にキャリアを掛けると、DC項(Direct Current Term)よりなる元信号と２体倍された高調波成分が下記式のように発生される。
【数４】
0003542553.tif 000005
【００３９】
ここで、ω＝２πfである。この２倍の高調波成分を低域通過フィルタリングした後、残りの元信号成分(位相成分)をスライサーを通して２進データに復元すればよい。また、復元された信号は多重化されているため、所望のアドレスデータを得るためには多重化されたランドとグルーブアドレスを逆多重化すべきである。
【００４０】
また、キャリアに対してアドレス情報の周期が１:１または１:２のように単純な割合で同期化されている場合、単に信号の位相のみ検出する同期検出方法も可能である。即ち、同期検出方法とは、位相変調された信号にキャリアを再び掛けた後低域通過フィルターを通して信号を検出せず、一定の周期で信号のサイズのみを検出して信号の位相を抽出する方法である。このようなPSK信号の検出方法については既知の技術なので詳しい原理に対する説明は略す。
【００４１】
次いで、本発明に係るグルーブ両側壁の変化を用いたウォッブル信号のPID構造をさらに詳しく説明する。
１セクターに対するアドレス情報は少なくとも３回以上反復されることが望ましい。PID情報は相対的に処理するアドレス情報量が一般の使用者データのECC(Error Correction Code)ブロックサイズより余程小さいためにECC効率が劣る問題が発生し、誤訂正の可能性が高まるために反復記録する方法がエラー訂正用ビット数を増やすことより効率的である。反面、アドレス情報のエラー訂正のためにエラー検出コード(Error Detection Code:EDC)を使用することが一般的である。
【００４２】
本発明のようにウォッブルにPID情報を位相変調方式で付加えて記録する場合、ウォッブル信号の周期を同一にすればセクターの大きさが大きくなるほど物理的に長くなってさらに多くの周期のウォッブル信号が記録できてPID情報が大きくなる長所がある。反面、セクターを過度に大きくする場合データの最小記録単位が大きくなるために非効率的になる短所が発生する。
【００４３】
セクターの大きさはできるだけECCブロックの大きさと同一であることが望ましい。これはECC処理単位が最小記録単位となるために、これより小さな単位でセクターを設定する場合には該当セクターの情報を記録/修正したり、読取るために該当セクターを含むECCブロックが構成している全てのセクターを読取った後データを記録/修正し、これに合うようにECC情報を更新(updating)してから記録すべきなどの記録処理過程が読取ってから修正して再起録(read modify write)という複雑な過程を経ることになる。
【００４４】
また、既存の４.７GB(Giga Bytes)DVD-RAMの場合には３２Kbyte単位のECCブロックと２Kbyte単位のセクターで構成されている。セクターの記録フィールドの長さは４１０７２チャンネルビットで構成されている。
しかし、高密度記録の場合には４.７GB DVD-RAMよりセクターの単位を大きくすることが望ましい。これは高密度になる場合、ECC処理単位を大きくしないと既存の４.７GB DVD-RAMより相対的に訂正できる欠陥の大きさが縮まるために、できるだけECC処理単位を大きくして訂正できる欠陥の大きさを既存の４.７GB DVD-RAMで要求される訂正可能な欠陥の大きさに保つことが望ましく、よってセクターも大きくなることが望ましい。セクターの大きさは４Kbyte、８Kbyteまたは１６Kbyteなどが考えられる。セクターの大きさを４Kbyteとする場合既存の付加情報をそのまま保つと仮定すれば、セクター当りチャンネルビットの数は８２１４４ビットとなる。
【００４５】
一方、記録されるチャンネルデータの周期をTs、ウォッブル信号の周期をTw、PIDデータの周期をTpidとすれば、これら信号の周期の変化による影響は次の通りである。
チャンネルデータの周期Tsはディスク上の記録密度を決定することになる。ウォッブル信号の周期Twは周期が延びるほどウォッブル信号の周波数が低くなってウォッブル信号がトラッキングエラー信号のようなサーボ信号の帯域に近接または侵犯することになり、周期が短くなるほどウォッブル信号の周波数が高まって使用者データの記録されるRF信号帯域に近接または侵犯する問題が発生する。従って、適切なウォッブル信号の帯域を定めることが重要である。本発明ではウォッブル信号の周期Twの範囲は５０Ts乃至４５０Tsの範囲(５０Ts<Tw<４５０Ts)を有する。また、４.７GB DVD-RAMの場合にはTwは１８６Tsで構成されている。
【００４６】
PIDデータの周期Tpidはウォッブルキャリアを使用してPIDデータを変調した場合、変調された信号の帯域幅を決定することになる。PIDデータの周期がウォッブル信号の周期Twと同一な場合(Tpid=Tw)、ウォッブル信号の周波数をfwとすれば変調された信号の帯域幅が２fwとなり、PIDデータの周期がウォッブル信号の周期の２倍と同一な場合(Tpid=２Tw)には変調された信号の帯域幅がfwとなってTpidが延びるほど変調された信号の帯域幅は狭くなって周辺信号に対する干渉が少なくなる。しかし、Tpidが延びるほど変調信号の効率が劣るために記録できるPIDデータの量が減少する問題が発生する。従って、PIDデータの周期Tpidの場合１Tw乃至４Twの範囲(１Tw≦Tpid<４Tw)が望ましい。
【００４７】
図７は図４に示されたPIDアドレッシング構造によるウォッブルPIDの内容の一例を示した図面であって、１つのPIDユニットは、図７（ａ）に示されたように、ウォッブルPID信号の開始位置を判断するための同期情報を有するウォッブルシンク(Sync)、アドレス情報を有するウォッブルキャリアで位相変調され、ウォッブルキャリアと一定の周期に多重化されたPIDデータ(PID)、エラー検出コード(EDC)よりなる。参考に、図４では１ビットのPIDデータと単純なウォッブルキャリアが多重化されていると表示されている。
【００４８】
１つのセクターには、図７（ｂ）に示されたように、少なくとも３回のアドレスデータ(PIDデータ)が反復されることが望ましい。これは３つのアドレスデータが誤訂正や誤検出に対した強靭性(robustness)を高めるためである。従って、１セクター周期の間にアドレスを含んだ同じ形態のPID単位が３回反復される構成が望ましい。
【００４９】
また、セクターの先には、図７（ｃ）に示されたように、物理的なセクターの開始を示すセクターマークが配置されており、各セクターマークは、１ウォッブルクロック周期の間に、ミラー領域、現在位置したトラックに対する情報を有しているトラックマーク(TMで表されている)、セクターの開始前に記録用PLLを同期させるためのVFO信号で構成される。ここで、ミラー領域はディスク上の記録／再生用ビームの通る経路上で何らの信号及び情報を有しなく、入射ビームを一定の反射率に反射させるだけの領域であって、ピット、記録マークまたはランド/グルーブ構造による屈折効果が起こらないためにミラー領域で読取られる出力信号の大きさが最大となる。
【００５０】
本発明のウォッブルPID構造は、一時的なPLLの失敗またはクロック位相の外れなどの問題が次のアドレス情報にも伝播されることを防止するために、各アドレス情報の前にはアドレス情報(PIDデータ)の開始を検出し、ウォッブルキャリアの位相を検出しうる同期情報を有することが望ましい。特にデータが変調されている状態で同期情報を検出するだけでなく、データの復調後にも同期情報を検出することが望ましい。従って、本発明のアドレス情報のための同期情報は一種の擬似ランダムシーケンス(Pseudo Random Sequence)のバーカコード(Barker Code)を使用するウォッブルシンク形態に存在する。このバーカコード及び同期信号を構成して検出する方法については同出願人により"パスバンド同期ブロック復元(Passband Sync Block Recovery)"という題目で出願された美国特許第５,５１１,０９９号に開示されているので、その詳細な説明は略す。
【００５１】
図８は図６に示されたトラック構造で各セクターの先頭に位置したセクターマークと各トラックの最初のセクターマークの形状を概略的に示した図面であって、グルーブトラックからランドトラックに、またはランドトラックからグルーブトラックに遷移される時点、即ち、トラックの開始部分に位置した最初のセクターマーク(ゼロセクターマークまたは基準セクターマークと称する)と各セクターの先に位置したセクターマークを示している。セクターマークはグルーブトラックだけでなくランドトラックにも位置し、セクターマークの構造は奇数トラックか偶数トラックかによって別に配置され、トラックの最初のセクターマークは他のセクターマークとはその構造が異なる。
【００５２】
このようなセクターマークは、各々現在読出または書込しようとするトラックが偶数トラックかまたは奇数トラックかを判断し、またランドまたはグルーブトラックの開始位置を把握可能にする役割をする。勿論、本発明の構造上アドレスデータを復調した後には、現在のトラックが偶数トラックか奇数トラックか、またはランドトラックかグルーブトラックかが区分できる。即ち、ランドトラックではランドアドレスの大きさが大きいかまたは小さくなるようにアドレスとウォッブルキャリアが多重化されているので、アドレスの大きさの相関関係を用いてランドトラックかまたはグルーブトラックかを判別しうる。
正常にアドレス情報が復調されて読取らない状況でも現在のトラック位置が偶数トラックか奇数トラックか、またはランドかグルーブかを判断できる場合アドレスの誤判読が分かり、判読速度を向上させうる長所がある。
【００５３】
図９（ａ）に示されたように、偶数グルーブトラックまたは偶数ランドトラックのセクターマークは、ミラー領域とトラックマークとVFO信号からなっており、奇数グルーブトラックまたは奇数ランドトラックのセクターマークは、偶数トラックのセクターマークとは違って、図９（ｂ）に示されたように、トラックマークの代りにミラー領域が配置され、即ちミラー領域、ミラー領域、VFO信号順に配置されている。図９（ａ）に示された偶数トラックのセクターマークと図９（ｂ）に示された奇数トラックのセクターマークとが相互変わることもあり、他の変形例がさらに有り得る。
【００５４】
一方、各トラックの開始位置を示す基準になるセクターに対する情報を記録するための偶数トラックの最初のセクターマークは、図９（ｃ）に示されたように、偶数トラックのセクターマークの構造(図９（ａ）)の前にミラー領域とトラックマークがさらに配置される構造であって、ミラー領域、トラックマーク、ミラー領域、トラックマーク、VFO順に配置されている。
【００５５】
奇数トラックの最初のセクターマークは、図１０（ａ）に示されたように、奇数トラックのセクターマークの構造(図９（ｂ）)の前にミラー領域とトラックマークがさらに配置される構造であって、即ちミラー領域、トラックマーク、ミラー領域、ミラー領域、VFO信号順に配置されている。図９（ｃ）に示された偶数トラックの最初のセクターマークと図１０（ａ）に示された奇数トラックのセクターマークとが相互変わることもあり、他の変形例がさらに有り得る。
【００５６】
図１０（ｂ）は各トラックがm個のセクターを有する時のセクターマーク(SMで表されている)とPID構造を示し、セクターマークはグルーブトラックだけでなくランドトラックにも配置され、各グルーブトラックにはPIDユニットが３回繰返して配置されている。
【００５７】
次いで、本発明で提案するランドとグルーブの両側壁に独立して形成されたウォッブルを用いたアドレス発生及び検出に対して説明する。
図１１は本発明のウォッブルアドレスエンコーディング回路の一実施形態に係る回路図であって、ウォッブル信号発生器１００、PSK変調器１０２、１０４及び分周器１０６、反転器１０８、マルチプレクサ(MUX)１１０、１１２で構成された時分割多重化器(Time Devision Multiplexing Unit)よりなる。
【００５８】
図１１において、ウォッブル信号発生器１００は所定のウォッブル周波数fwを有するウォッブル信号を発生し、乗算器で構成されうるPSK変調器１０２はウォッブル信号発生器１００から発生されたウォッブル信号と“１”または“-１”のランドアドレスデータを乗算する。PSK変調器１０４はウォッブル信号発生器１００から発生されたウォッブル信号と“１”または“-１”のグルーブアドレスデータを乗算する。
【００５９】
分周器１０６はウォッブル信号発生器１００から発生されたウォッブル信号の周波数(f=１/Tw)を１/kに分周してウォッブルと位相変調されたアドレスデータを多重化させるための多重化周器kTwを生成する。反転器１０８は分周器１０６の出力を反転させる。マルチプレクサ１１０は、分周器１０６で提供される多重化周器kTwに応じて、例えば位相変調されたアドレスデータとウォッブル信号発生器１００から生成されたキャリアだけ有するウォッブル信号とを順に多重化してランドトラックのための記録信号を提供する。
【００６０】
一方、マルチプレクサ１１２は、反転器１０８の出力によって、即ち、マルチプレクサ１１０がランドアドレスとウォッブルキャリアの順に多重化することとは違って、ウォッブル信号発生器１００で生成されたキャリアだけ有するウォッブル信号とPSK変調器１０４から提供される位相変調されたグルーブアドレスデータとを順に多重化してグルーブトラックのための記録信号を提供する。
【００６１】
図１２は本発明のウォッブルアドレス検出回路の一実施形態に係る回路図であって、光検出素子２００、減算器２０２、加算器２０４、２１０、帯域通過フィルター(BPF)２０６、PLL(Phase Locked Loop)回路２１２、乗算器２１４、低域通過フィルター(LPF)２１６、分周器２１８及び逆多重化器（DEMUX）２２０よりなる。
【００６２】
減算器２０２はフォトダイオードで構成されうるラジアル方向に２分割された光検出素子２００の出力信号の差信号(プッシュプル信号)を検出し、加算器２０４はラジアル方向に２分割された光検出素子２００の出力信号の和信号を検出する。
帯域通過フィルター２０６はプッシュプル信号を帯域フィルタリングし、エンベロプ検出器２０８は和信号のエンベロプを検出し、加算器２１０は帯域通過フィルター２０６の出力とエンベロプ検出器２０８の出力を加算する。
【００６３】
PLL回路２１２は加算器２１０の出力からウォッブルクロック信号を検出する。乗算器２１４は帯域通過フィルター２０６から提供される帯域フィルタリングされたプッシュプル信号とPLL回路２１２から提供されるウォッブルクロック信号とを乗算し、数学式４に示されたようにDC項よりなる元信号と体倍された高調波成分が発生する。乗算器２１４は位相復調器とも称する。
【００６４】
低域通過フィルター２１６は乗算器２１４の出力から高調波成分をフィルタリングして残りの元信号成分(位相成分)を検出する。分周器２１８はPLL回路２１２から提供されるウォッブルクロック信号を１/kに分周し、分周されたウォッブル信号、即ち、多重化周期kTw信号を逆多重化器２２０に提供する。逆多重化器２２０は分周器２１８から提供されるkTw周期で低域通過フィルター２１６の出力を逆多重化してランドアドレスとグルーブアドレスを提供する。
【００６５】
ここで、図４に示された構造による図５に示されたようなウォッブル信号に対し、図１３（ａ）に示された信号は、グルーブ１アドレスとランド１アドレスとが多重化されたグルーブトラックから読取った信号であって減算器２０２のプッシュプル信号から検出され、図１３（ｂ）に示された信号は、グルーブ１アドレスとランド２アドレスとが多重化されたランドトラックから読取った信号であって減算器２０２のプッシュプル信号から検出され、図１３（ｃ）に示された信号は、グルーブ２アドレスとランド２アドレスとが多重化されたグルーブトラックから読取った信号であって減算器２０２のプッシュプル信号から検出される。
【００６６】
図１４（ａ）に示された信号は、乗算器２１４から出力される図１３（ａ）に示されたグルーブトラック信号とsin(ωt)を乗算した結果で、図１４（ｂ）に示された信号は、乗算器２１４から出力される図１３（ｂ）のプッシュプル信号から検出されたランドトラック信号とsin(ωt)を乗算した結果であり、図１４（ｃ）に示された信号は、乗算器２１４から出力される図１３（ｃ）に示された偶数グルーブトラックから読取った信号とsin(ωt)を乗算した結果である。
【００６７】
また、低域通過フィルター２１６を経て提供され、グルーブトラックから検出される多重化されたグルーブ１/ランド１アドレス情報は図１５（ａ）に示されたようであり、ランドトラックから検出される多重化されたグルーブ１/ランド２アドレス情報は図１５（ｂ）に示されたようであり、グルーブトラックから検出される多重化されたグルーブ２/ランド２アドレス情報は図１５（ｃ）に示されたようである。
【００６８】
一方、グルーブのトラックのアドレスデータが多重化されたデータ列から連続的に０が発生すれば隣接したランドトラックではプッシュプル信号からウォッブルが発生しなくなってPLLが動作しない恐れがある。従って、入力されるアドレスデータが連続的に１または０になることを防止するためにRLL(Run Length Limited)符号化などを行って連続的に０や１のデータが発生することを防止し、またPLLを円滑に動作させるために和信号から検出されたウォッブルを共に使用することが望ましい。
【００６９】
本発明は高密度光記録／再生システムに効率よく適用しうる。
また、前記一実施形態ではアドレスデータが毎ビット単位に多重化されている構成のみを説明したが、多様なビット単位に多重化されることもある。このための実施形態では多重化器とこれを復元するための逆多重化器の構成のみが変わり、他の構成に対しては同じ構成で実施しうる。
【００７０】
前述した一実施形態では理解のために０°と１８０°の２つの位相差を用いてアドレスデータを位相変調したが、ウォッブルキャリアに対して９０°と２７０°の位相差を有するアドレスデータに位相変調することもできる。この場合、隣接グルーブトラック間に位相が０°または１８０°の関係を持たず９０°または２７０°の関係を有するためにランドトラックにおいてウォッブル信号がなくなる現象が起こらない。この場合、同期検出には難点があるが、ウォッブル信号が連続でなくなる現象が起こらないためにウォッブル信号の効用性が高められる。
【００７１】
また、変調位相角を、例えば４５°と９０°のように、２つの信号の位相差最大値(１８０°)より小さく選択してウォッブル信号の位相の変化を減らすことで帯域幅が縮められる。この際、隣接トラックとの逆位相が連続される場合ウォッブル信号が出力されない問題を解決することもある。前記ウォッブル信号が出力されない問題はデータ信号を２次元コンボルーションコードを使用して隣接トラックのデータの間に連続した逆位相の発生を防止しうる。
【００７２】
また、１つの領域に対して１つのアドレス情報のみを記録することでなく、例えば、グルーブトラックの１つのセクターに該当する領域に該当セクターのアドレスのみを記録することでなく、隣接したランドトラックのアドレスが記録でき、ランドトラックに対しては隣接したグルーブトラックのアドレスを記録することもできる。この際、隣接トラックのアドレスは該当セクターの長さと変調される信号の特性に応じて変われる。このような方法で１つのセクターを読取る間に複数のアドレス情報が読取れて何れか１つのアドレス情報が読取れなくなっても、読取れるアドレス情報と他のディスクの情報からアドレス情報を類推しうる。
【００７３】
【発明の効果】
前述したように、本発明は隣接トラック間の位相相関関係を特定の関係が形成されるように構成することによって、如何なるトラックでもウォッブルアドレスを読取可能にし、ウォッブルアドレスの検出方法と回路が簡単である。
本発明は既存の凹凸型プリピットによるPIDアドレッシング方法が有するオーバーヘッドの問題を解決し、既存のウォッブルアドレス方式が有するランド/グルーブ記録方式への適用できない問題を解決する。
また、本発明は２-ビームを用いてランドトラックとグルーブトラックに独立的に位相変調されたアドレスとキャリアのみを有するウォッブル信号を多重化して記録するためにランドとグルーブアドレスを検出する方法が同一であり、多重化順序がランドとグルーブトラックとで相互変っており、アドレスの大きさをランドとグルーブトラックで相違にすればランド/グルーブトラックを容易に判別しうる。
【図面の簡単な説明】
【図１】既存の凹凸型プリピットを用いるPIDアドレッシング構造を示した図面である。
【図２】既存のグルーブとランドトラックの両方にウォッブルが記録された一例の図面である。
【図３】既存のグルーブの一側壁にのみウォッブルアドレスが記録された一例の図面である。
【図４】本発明に係る時分割多重化によりウォッブルアドレスが記録されるPIDアドレッシング構造を示した図面である。
【図５】図４に示された構造においてランド/グルーブトラックにおけるウォッブル信号の波形図である。
【図６】本発明に係る初期ウォッブルの位相同期を合せるためのミラーまたはウォッブル同期信号の記録されたトラック構造を示した図面である。
【図７】図４に示されたPIDアドレッシング構造の内容を示した一例の図面である。
【図８】図６に示されたトラック構造の一例であってセクターの先に位置したセクターマークとトラックの最初のセクターマークを示した図面である。
【図９】図８に示されたセクターマークの内容の一例を示した図面である。
【図１０】図８に示されたセクターマークの内容の一例を示した図面である。
【図１１】本発明に係るウォッブルアドレスエンコーディング回路の一実施形態による回路図である。
【図１２】本発明のウォッブルアドレス検出回路の一実施形態に係る回路図である。
【図１３】図１２に示された検出回路の各部分の波形図である。
【図１４】図１２に示された検出回路の各部分の波形図である。
【図１５】図１２に示された検出回路の各部分の波形図である。
【符号の説明】
１００……ウォッブル信号発生器
１０２，１０４……ＰＳＫ変調器
１０６……分周器
１０８……反転器
１１０，１１２……マルチプレクサ
２００……光検出素子
２０２……減算器
２０４，２１０……加算器
２０６……帯域通過フィルター
２０８……エンベロプ検出器
２１２……PLL回路
２１４……乗算器
２１６……低域通過フィルター
２１８……分周器
２２０……逆多重化器
【図１】
0003542553.tif 000006
【図２】
0003542553.tif 000007
【図３】
0003542553.tif 000008
【図４】
0003542553.tif 000009
【図５】
0003542553.tif 000010
【図６】
0003542553.tif 000011
【図７】
0003542553.tif 000012
【図８】
0003542553.tif 000013
【図９】
0003542553.tif 000014
【図１０】
0003542553.tif 000015
【図１１】
0003542553.tif 000016
【図１２】
0003542553.tif 000017
【図１３】
0003542553.tif 000018
【図１４】
0003542553.tif 000019
【図１５】
0003542553.tif 000020